(57)【要約】      （修正有）【課題】どのような家具類への取り付け対応ができ、しかも簡単容易に取り付けが実施できる安価で堅牢簡単構造でしかも家具類のインテリアとしての機能を損なわずに常設できる家具類の転倒防止装置を提供する。【解決手段】家具類の裏面の下部に固定し、表面側の上部中央部にロックピンを上下動可能に嵌合したシリンダーを形成し、下部に前記ロックピンの下部を嵌入しその水平動をロックする嵌り部を有する水平突起部を形成した家具側連結具１００と、家具類の裏面の上部に固定し、家具の後方倒れを制止するスペーサー取付具３００と、床への取り付け部を有し前記家具側連結具の水平突起部を水平挿入してその上下動をロックする水平挿入穴を形成した床側連結具２００と、前記家具側連結具のロックピンを上下動させるロックピン上下操作手段５０１、５０４とからなる。【選択図】図１
0003176934.tif 000002
【実用新案登録請求の範囲】
【請求項１】
家具類の裏面の下部に裏面側を合わせて固定し、表面側の上部中央部にロックピンを上下動可能に嵌合したシリンダーを形成し、下部に前記ロックピンの下部を嵌入しその水平動をロックする嵌り部を有する水平突起部を形成した家具側連結具と、
家具類の裏面の上部に固定し、保護用スペーサーを支持して同保護用スペーサーを壁面又は天井面との間に張出して亘らせて家具の後方倒れを制止するスペーサー取付具と、
床に取り付けるものであって、床への取り付け部を有し前記家具側連結具の水平突起部を水平挿入してその上下動をロックする水平挿入穴を形成した床側連結具と、
前記家具側連結具のロックピンを上下動させるロックピン上下操作手段と、
からなることを特徴とする家具類の転倒防止装置。
【請求項２】
ロックピン上下操作手段は、ロックピンの上端部に吊紐の一端を吊連結し、吊紐の他端を上下操作具に連結し、上下操作具を家具類取り付けた吊紐式上下操作手段にしたことを特徴とする請求項１に記載の家具類の転倒防止装置。
【考案の詳細な説明】
【技術分野】
【０００１】本考案は家具類の転倒防止装置に関するものであり、その目的は○タンス、本箱、戸棚等の家具と壁間の隙間を僅少にして、各種サイズの家具に取り付け対応が可能で、○且つ、取り付けが簡易で、○しかも、家具の設置および移動の際の転倒防止機能の維持と解除の操作が極めて簡単にでき、○その上、堅牢簡単構造でありながら、振動時に家具類の前倒れ後ろ倒れ及び上部の往復運動を制止し、○その結果、壁及び家具類を損傷させることなくその転倒を確実に防止する装置を提供するものである。
【背景技術】
【０００２】特に地震国日本ではタンス、本箱、戸棚等の家具類は、地震の程度つまり弱振、強震を問わずその生活安全上、転倒防止対策は必須のアイテムとして常備しなければならない。
家具類は、地震などの振動によって大きく前後上下左右に変位移動し或いはこれらが起因して転倒し、家具類の損傷及びを家具類を配置した部屋を利用する生活者に衝突して怪我をさせたり、他の家具類同士や壁などに衝突して損壊させるなど甚だ危険な状態を招く。【０００３】家具類の転倒防止装置として、家具の天板と天井との間を連結し、或いは家具の裏面又は側面と壁との間を連結する複雑構造の連結式転倒防止装置又は突っ張り式の転倒防止装置が一般的に採用されている。【０００４】これら家具類の転倒防止装置は、家具の天板と天井との間、又は家具の裏面又は側面と壁との間に介在させるため、その設置スペースを広く確保しなければならない大型な装置である。
また、設置施工には専門的な道具と作業者が必要であるが、繁雑な施工作業であり、多くの時間と労力と費用を必要とする。
更に、家具或いは天井や壁とのマッチングがかなわない場合は強制的に家具類の配置を変更しなければならない。また目立つ装置のため、家具類との色彩、形状、配置などの調和を図ることがインテリア上、極めて重要であるにも関わらず、実用面が先行しインテリア面の両立は困難であり、不協和音の発信源とも成っている。
【考案の概要】
【考案が解決しようとする課題】
【０００５】  本考案は、○天井や壁への梁の有無および家具類の高さに左右されずに、家具と壁間の隙間を僅少にして、各種サイズの家具に取り付け対応が可能で、○しかも取り付けを簡易にして専門的な道具と作業者を不要とし、一般の主婦の方でも簡単容易に取り付けが実施でき、○しかも家具の設置および移動の際の転倒防止機能の維持と解除の操作が極めて簡単にでき、○その上安価で堅牢簡単構造なありながら、振動時に家具類の前倒れ後ろ倒れ及び上部の往復運動を制止し、○その結果、壁及び家具類を損傷させることなくその転倒を確実に防止し、○しかも家具類のインテリアとしての機能を損なわずに常設できる優れた家具類の転倒防止装置を提供するものである。
【課題を解決するための手段】
【０００６】本考案は上記の課題を満足する転倒防止装置でありその特徴とするところは図１〜図５に示すように、次の（１）〜（２）の通りである。【０００７】（１）、家具類の裏面の下部に裏面側を合わせて固定し、表面側の上部中央部にロックピンを上下動可能に嵌合したシリンダーを形成し、下部に前記ロックピンの下部を嵌入しその水平動をロックする嵌り部を有する水平突起部を形成した家具側連結具と、
家具類の裏面の上部に固定し、保護用スペーサーを支持して同保護用スペーサーを壁面又は天井面との間に張出して亘らせて家具の後方倒れを制止するスペーサー取付具と、
床に取り付けるものであって、床への取り付け部を有し前記家具側連結具の水平突起部を水平挿入してその上下動をロックする水平挿入穴を形成した床側連結具と、
前記家具側連結具のロックピンを上下動させるロックピン上下操作手段と、
からなることを特徴とする家具類の転倒防止装置。【０００８】（２）、前記ロックピン上下操作手段は、吊紐５０１の一端をロックピン１０５の上端部に吊連結し、吊紐５０１の他端を、家具Ｋの上端後部の両端部に取付たスペーサー取付具３００に引き上げ下げ可能に連結したことを特徴とする前記（１）に記載の家具類の転倒防止装置。
【考案の効果】
【０００９】本考案の家具類の転倒防止装置は、前術の課題を全て解決する。即ち○天井や壁への梁の有無および家具類の高さに左右されずに、家具と壁間の隙間を僅少にして、各種サイズの家具に取り付け対応が可能で、○しかも取り付けを簡易にして専門的な道具と作業者を不要とし、一般の主婦の方でも簡単容易に取り付けが実施でき、○しかも家具の設置および移動の際の転倒防止機能の維持と解除の操作が極めて簡単にでき、○その上安価で堅牢簡単構造なありながら、振動時に家具類の前倒れ後ろ倒れ及び上部の往復運動を制止し、○その結果、壁及び家具類を損傷させることなくその転倒を確実に防止し、○しかも家具類のインテリアとしての機能を損なわずに常設できる優れた作用効果を呈するものである。
【図面の簡単な説明】
【００１０】
【図１】本考案の実施例１を示す説明図であり、組み立てた状態において図２の矢視Ａ−Ａからの正面説明図である。
【図２】図１の矢視Ｂ−Ｂからの側断面説明図である。
【図３】図１の矢視Ｃ−Ｃからの平面説明図である。
【図４】図１の矢視Ｄ−Ｄからの平面説明図である。
【図５】本例の家具類の転倒防止装置の各パーツの分解図である。
【図６】本考案の実施例１の設置順を示す側断面説明図であり、（１）は家具側連結具と床側連結具の連結前の状態を示し、（２）は家具側連結具の水平突起部を床側連結具の水平挿入穴に挿入した状態を示し、（３）は家具側連結具のロックピンを水平突起部の嵌り部に下降挿入して家具側連結具と床側連結具が完全に連結した状態を示し図２に示す図と同じである。
【考案を実施するための形態】
【００１１】本考案を実施するための一形態を後述の実施例により詳細に説明する。
【実施例１】
【００１２】本例の家具類の転倒防止装置を図１〜図６にて紹介する。
本例は家具類の転倒防止装置であり、家具類の裏面に対面する壁との関係で設置するもので、家具Ｋに取り付ける家具側連結具１００と、床Ｆに取り付ける床側連結具２００と、前記家具側連結具１００のロックピン１０５を上下操作させるロックピン上下操作手段（５０１〜５０４）を有するスペーサー取付具３００と、保護スペーサ４００からなる。【００１３】家具側連結具１００は、金属製又は樹脂製で縦ベース板１０１をネジ１０２で家具Ｋに取り付け、その壁面側の上部中央部にシリンダー１０３を、下部に水平突起部１０４を各々形成してある。
シリンダー１０３は、ロックピン１０５を上下動可能に嵌合し、上端部にはロックピン１０５を挿入セットした後にピン止板１０６で塞いである。【００１４】ロックピン１０５は、下太部１０５−１と上細部１０５−２の段付型である。
ピン止板１０６は、ロックピン１０５の上細部１０５−１のみ挿通し、下太部１０５−２の上昇移動を制止する挿通穴１０７を有し、止めネジ１０８でシリンダー１０３の上端部に固定する。
水平突起部１０４は、ロックピン１０５の下部と嵌合連結する有底凹状の嵌り部１０９を有する。
有底凹状の嵌り部１０９の底はロックピン１０５の自重による下降移動のストッパー機能を有する。嵌り部１０８は貫通した嵌り部にしてもよい。この際は後述のロックピン上下操作手段の真鍮ブッシュ５０４の穴５０３への当接によりロックピン１０５の下端位置を嵌り部１０８内又は下方突出の所定位置で停止させる。【００１５】床側連結具２００は、金属製又は樹脂製で床Ｆに取り付けるＬ型構造であって、その下部２００−１を床Ｆへの取り付け部とし、ビス２０１で床Ｆに取り付け、上部２００−２に、前記家具側連結具１００の水平突起部１０３を水平挿入してその上下振動をロックし且つ水平突起部１０３の左右振動を余裕代を持って制限する長穴の水平挿入穴２０２を形成してある。【００１６】ロックピン上下操作手段は、前記家具側連結具１００のロックピン１０５を上下動させて水平突起部１０３との嵌合連結とその解除をする。本例のロックピン上下操作手段例は、ロックピン１０５の上端部に吊紐５０１の一端を吊連結し、吊紐５０１の他端を、家具Ｋの上端後部の両端部に取り付けたスペーサー取付具３００に、後述のように上下操作可能に連結した吊紐式上下操作手段である。
前記吊紐５０１は、金属製、ワイヤー製、繊維製、軟質樹脂製等で、撚状又は線状或いはチェーン状にしたものである。【００１７】スペーサー取付具３００は、コ字型に折り曲げた棒状の保護用スペーサー４００の両端アームを支持して家具Ｋの上端部と壁Ｗとの間に生じる隙間に水平状態で位置させる。【００１８】スペーサー取付具３００は、金属製又は樹脂製で、一方のかど部３００−１を上端後部の両端部の隅に沿って貼り付け又はネジ３０１でネジ止めし、他方のかど部３００−２に吊紐式上下操作手段を具備した所謂断面Ｔ型ベース３０２にしてある。
このＴ型ベース３０２の上部には、スペーサー保持部３０３を設置してある。スペーサー保持部３０３は、保護用スペーサー４００の両端アーム４０１の先端部を挿入する挿入穴３０４を有する。挿入穴３０４は、保護用スペーサー４００の壁面への張り出し量を調節後その固定を止めネジ３０５により行う。【００１９】かど部３００−２の突起側に設けた吊紐式上下操作手段は、吊紐５０１の上部をビニールチューブに通して引き上げ下げをガイドするガイド５０２、及び吊紐５０１の上端部を通す穴５０３を形成し、穴５０３に通した吊紐５０１を、手で引き上げ操作できるように所定長さ垂れ下げておくと共に、穴５０３の近傍直下に真鍮ブッシュ５０４を装着して構成する。真鍮ブッシュ５０４は、吊紐５０１の引き下げ即ちロックピン１０５の自重による所定量下降の際に穴５０３に当接させるストッパーとして機能する。【００２０】ロックピン上下操作手段は本例に限らない。例他の例としては、図示していないが、ロックピンの上端部に上下面を磁極にした第一永久磁石を設け、前記家具側連結具のシリンダーの上部に、第一永久磁石の上面に異磁極を接近と離間可能に第二永久磁石を設けてなる磁石式上下操作手段でもよい。つまり第二永久磁石を適宜な手段により第一永久磁石の直上に接近とさせて第一永久磁石と共にロックピンを磁力吸引して所定量上昇移動させてロックピン１０５の下部を水平突起部の嵌り部から離脱させ、また第二永久磁石を第一永久磁石の直上から離間移動させて、第一永久磁石の磁力吸引力を解除してロックピン１０５を自重で下降移動させその下部を水平突起部の嵌り部に挿入するものである。
保護用スペーサー４００は、クロメート処理をしコ字型に折り曲げ加工した弾性変形可能な金属製棒で、家具上部の後方倒れを制止すると共に後方倒れ荷重を受ける際の弾性変形クッション機能を持たせたものである。【００２１】以上の構成による本例の家具類の転倒防止装置は次の簡単な手順例で取り付けることができる。この手順は家や床或いは天井との相対関係などの状況により適宜変更されるもので本例に限るものではない。
１）、スペーサー取付具３００は、図１に示すように家具Ｋの上部の後部両側の角に各々設置し、保護用スペーサー４００は図２に示すように壁面Ｗに所定の張り出し量にして止めネジ３０７で固定する。
壁面が近くに無い時は図２に仮想線（一点鎖線）で併記したくの字に成形した突っ張り棒状の保護用スペーサー４００−２にして、その上端を天井Ｃに当接させて止めネジ３０７で固定し家具が後方に倒れるのを防止する。
２）、家具側連結具１００は、図５の（１）に示すように、縦ベース板１０１をネジ１０９により家具Ｋの裏面の両側下部に装着し、ロックピン１０５にスペーサー取付具３００（ロックピン上下操作手段を有する）の吊紐５０１の下端を結び連結し、予め真鍮ブッシュ５０４下方の吊紐５０１引き下げてロックピン１０５を吊り上げ水平突起部２０２との嵌合連結を解除した状態にしておく。
３）、床側連結具２００は、家具側連結具１００との位置あわせを予め行い、家具Ｋの裏面に対面する壁との間の床Ｆに下部を貼り付け又はビス２０１で取り付ける。
４）、次に、図５の（１）の矢印に示すように家具Ｋと共に家具側連結具１００を壁側に微動させて、図５の（３）に示すように家具側連結具１００の水平突起部１０３を床側連結具２００の水平挿入穴２０２に挿入貫通する。
５）、次に、図５の（２）の矢印に示すように吊紐５０１を下げて家具側連結具１００のロックピン１０５を下降させて、図５の（３）に示すようにロックピン１０５の下部を水平突起部１０３の嵌り部１０８に挿入嵌合する。
（嵌り部１０８を貫通嵌り部にしてもよく、この際は真鍮ブッシュ５０４の穴５０３への当接により所定位置で停止する）【００２３】以上の手順の１例により家具の設置の際の家具側連結具１００と床側連結具２００との連結を簡単迅速おこなうことができる。しかもこれと同時に保護用スペーサー４００を家具後部に対面する壁面に当接しておくもので、これらにより家具Ｋの倒立状態を保持して、地震などの振動による前後左右上下の移動を拘束して、壁及び家具自体に損傷を与えることなく家具Ｋの前方転倒、後方倒れ掛かりを安全確実に防止するのである。
そして家具の移動の際は、家具側連結具１００と床側連結具２００との連結を吊紐５０１を引き上げるワンタッチのみで、簡単にロックピン１０５を水平突起部１０３の嵌り部１０８から離脱させてロック解除をすることができるものである。
【産業上の利用可能性】
【００２４】本考案の家具類の転倒防止装置は、前述した優れた作用効果を呈するため、家具類などの製造産業界に、その生産者は勿論、使用するユーザーにも安心安全を保障されるなど社会的に多大な貢献をもたらすものである。
【符号の説明】
【００２５】Ｋ：家具
Ｆ：床
Ｗ：壁
Ｃ：天井
１００：家具側連結具
１０１：縦ベース板
１０２：ネジ
１０３：シリンダー
１０４：水平突起部
１０５：ロックピン
１０５−１：下太部
１０５−２：上細部
１０６：ピン止板
１０７：挿通穴
１０８：止めネジ
１０９：嵌り部
２００：床側連結具
２００−１：床側連結具の下部
２００−２：床側連結具の上部
２０１：ビス
２０２：水平挿入穴
３００：スペーサー取付具
３００−１：一方のかど部
３００−２：他方のかど部
３０１：ネジ
３０５：断面Ｔ型ベース
３０６：挿入穴
３０７止めネジ
３０８：スペーサー保持部
４００：保護用スペーサー
４０１：両端アーム
５０１：吊紐
５０２：ガイド
５０３：穴
５０４：真鍮ブッシュ
【図１】
0003176934.tif 000003
【図２】
0003176934.tif 000004
【図３】
0003176934.tif 000005
【図４】
0003176934.tif 000006
【図５】
0003176934.tif 000007
【図６】
0003176934.tif 000008